(57)【要約】【課題】  止め金具や粘着テープ等を用いることなく容易に組み立て及び分解をすることができる組立式箱の提供。【解決手段】  底板２１、前側板２６、背側板２７、左側板２８、右側板２９、前左側板間連結板３０、背左側板間連結板３２とを備え、前側板２６及び背側板２７は、外側板３６，３９、上縁板、内側板とをもってそれぞれ構成され、内側板３８，４１は、その左側部にのみ逃がし片部４３を備え、前左側板間連結板３０及び背左側板間連結板３２は、固定部５６と可動部５７とからなり、固定部５６を外側板３６，３９の内面に重ね合わせて貼着し、左側板２８をそれぞれ底板２１に重ねて折り畳んだ状態で全体形状を平板状となし、各側板２６，２７，２８，２９を底板に対して立ち上げ、箱状に組み立てられるようにした。【選択図】  図２
2005145524.tif 000002
【特許請求の範囲】
【請求項１】
平板状の底板と、該底板の周縁に折り目を介して一体に形成された前側板、背側板、左側板及び右側板と、前側板と左側板の各側辺間を連結する前左側板間連結板と、背側板と左側板の各側辺間を連結する背左側板間連結板とを備え、
前記前側板及び背側板は、前記底板と折り目を介して連続された外側板と、その底板とは反対側の縁部に一定幅を有する上縁板を介して一体に形成された内側板とをもってそれぞれ構成され、前記上縁板の両縁部を折り目として折り曲げることにより前記内側板を外側板に重ね合わせるとともに、前記内側板の左側部にのみ、その側縁基端側より先端縁側に斜めに向けた折り目を形成して該折り目より折り畳まれる逃がし片部を備え、
前記前左側板間連結板及び背左側板間連結板は、前記底板の隅より斜めに向けた折り目を介して固定部と可動部とから構成され、前記固定部を前記外側板の内面に重ね合わせて貼着し、
前記左側板をそれぞれ前記底板に重ねて折り畳んだ状態で全体形状を平板状となし、各側板を前記底板に対して立ち上げ、前記前内側板及び背内側板の側縁部をそれぞれ左側板の内面に係合させて箱状に組み立てられるようにしたことを特徴としてなる組立式箱。
【請求項２】
左側板及び右側板は、底板とは反対側の縁部に折り目を介して頂板を一体に備え、該頂板の両側縁を前側板又は背側板の上縁に係止させるようにした請求項１に記載の組立式箱。
【請求項３】
左側板は、前記底板と折り目を介して連続された外側板と、その底板とは反対側の縁部に一定幅を有する上縁板を介して一体に形成された内側板とをもってそれぞれ構成され、前記上縁板の両縁部を折り目として折り曲げることにより前記内側板を外側板に重ね合わせ、右側板は、底板とは反対側の縁部に一定幅を有する上縁板を介して一体に形成された押さえ板とを備え、該押さえ板の両側縁を前側板及び背側板の内面に係合させた請求項１に記載の組立式箱。
【請求項４】
右側板の底版とは反対側の縁部に折り目を介して蓋板を一体に備えた請求項１に記載の組立式箱。
【請求項５】
蓋板は、右側板とは反対側の縁部に左側板の上縁に係止される蓋係止用突起を備えた請求項４に記載の組立式箱。
【請求項６】
前側板と右側板の各側辺部間を連結する前右側板間連結板と、背側板と右側板の各側辺部間を連結する背右側板間連結板とを備えた請求項１〜４又は５に記載の組立式箱。
【請求項７】
前側板及び背側板は、その右側縁にそれぞれ折り目を介して補強板を一体に備えた請求項１〜５又は６に記載の組立式箱。
【請求項８】
両補強板のうち、一方の補強板の側板とは反対側の縁部に補強係止片を一体に備え、他方の補強板の側板とは反対側の縁部に前記補強係止片が挿入され係止される補強係止孔を備えた請求項７に記載の組立式箱。
【発明の詳細な説明】
【技術分野】
【０００１】
本発明は、主に青果や花等の梱包に用いられる組立式箱に関する。
【背景技術】
【０００２】
従来、西瓜やメロン等の玉状の青果では、１個ずつ梱包され出荷される場合があり、このような玉状の青果の梱包には、図１６に示す如き立方体状の組立式箱が使用されている。
【０００３】
この組立式箱は、図１７に示す展開図のように紙板材を打ち抜き、それを組み立てることにより形成され、それぞれ正方形に形成された左側板１、前側板２、右側板３及び背側板４が折り目を介してそれぞれ連続して形成され、その各側板１，２，３，４の上縁及び下縁に折り目を介してフラップ板５，６，７，８が一体に形成されている。
【０００４】
そして、左側板１と背側板４の各側辺部同士を連結するとともにフラップ板５，６又はフラップ板７，８を重ねあわせることにより底部又は天板を形成し、玉状の青果を梱包できるように立方体状の箱に形成するようになっている。
【０００５】
また、巨峰等の果物の包装には、図１８に示すように、店頭における展示を考慮し、上面が開口し、その開口部に透明なプラスチック製カバー１０を被せ、粘着テープ１０ａで固定した包装用箱１１を使用し、透明なプラスチック製カバー１０を通して巨峰等の収容物を外部より見ることができるようにしている。
【０００６】
このような巨峰等の収容物の包装に用いられる包装用箱１１は、底面を構成するフラップ板１２，１２と、このフラップ板１２と重なり合う開閉自在なフラップ式の蓋１３を備え、見栄えを良くするために収容物を上面部より挿入せずに、そのフラップ板１２，１２及び蓋１３を開き、箱の底部より巨峰等の収容物を出し入れするようになっている。
【０００７】
また、この包装用箱１１は、箱の上面を覆う天板１４と、その両側縁に折り目を介して一体に形成された側板１５，１５とからなる外カバー１６を備え、運搬する際等にはその外面を外カバー１６により覆うようになっている。
【０００８】
この外カバー１６は、側板１５，１５の天板１４とは反対側の縁部に係止片１７，１７を一体に備え、その係止片１７，１７をそれぞれ包装用箱１１の周壁の下端に形成された挿入孔１８及び蓋１３の縁部に形成された挿入孔１８にそれぞれ挿入することによって、外カバー１６によって蓋１３を開かないように吊り下げ保持し、底部を構成するフラップ板１２，１２及び蓋１３が巨峰等の収容物の重量に耐えかねて開き、底が抜けてしまうことがないようにしている。
【発明の開示】
【発明が解決しようとする課題】
【０００９】
しかし、上述の図１６、図１７に示す組立式箱では、箱の組立てに手間がかかり、作業効率が悪く、製造コストが嵩むという問題があった。
【００１０】
また、背側板と左側板との連結部分や、重ね合わせた各フラップ板を固定するためにステープルを用いる場合、箱を破棄する際にその金具を取り外して分別しなければならず煩わしいという問題がり、各フラップ板を粘着テープを用いて固定している場合には、西瓜やメロン等の重量が嵩むものを梱包した場合、その重みによって底が抜けるおそれがあった。
【００１１】
一方、図１８に示す包装用の組立式箱では、組立てに手間がかかるうえ、開口部に透明なプラスチック製カバーを被せ、粘着テープで固定しなければならず組立てが煩わしく作業効率が悪いという問題があった。
【００１２】
また、巨峰等の収容物の重みによる箱の底抜けを防止するためには、外カバーの両側に側板と、その側板の縁部に係止片を備えた構成としなければならず、外カバーの両側板の分だけ大切な紙資源を余計に使用しなければならないという問題があった。
【００１３】
更に、巨峰等の収容物を箱の底より挿入し、その状態でフラップ式の蓋を閉じて収容するため包装作業が煩わしく時間が掛かるという問題があり、巨峰等の収容物を取り出すには、プラスチック製カバーを破壊するか、或いは箱底部のフラップを開いて取り出すようになっているため面倒であった。
【００１４】
そこで本発明は、上述の従来技術の問題を鑑み、止め金具や粘着テープ等を用いることなく容易に組み立て及び分解をすることができ、収容物を容易に包装することが可能として省力化を達成するとともに、底部を単板にする、テープ貼りの排除等により材料の使用量を最小限に抑え、省資源化を実現し、底抜け等の心配がない安全な組立式箱の提供を目的とする。
【課題を解決するための手段】
【００１５】
上述の如き従来の問題を解決し、所期の目的を達成するための請求項１に記載の発明は、平板状の底板と、該底板の周縁に折り目を介して一体に形成された前側板、背側板、左側板及び右側板と、前側板と左側板の各側辺間を連結する前左側板間連結板と、背側板と左側板の各側辺間を連結する背左側板間連結板とを備え、
前記前側板及び背側板は、前記底板と折り目を介して連続された外側板と、その底板とは反対側の縁部に一定幅を有する上縁板を介して一体に形成された内側板とをもってそれぞれ構成され、前記上縁板の両縁部を折り目として折り曲げることにより前記内側板を外側板に重ね合わせるとともに、前記内側板の左側部にのみ、その側縁基端側より先端縁側に斜めに向けた折り目を形成して該折り目より折り畳まれる逃がし片部を備え、
前記前左側板間連結板及び背左側板間連結板は、前記底板の隅より斜めに向けた折り目を介して固定部と可動部とから構成され、前記固定部を前記外側板の内面に重ね合わせて貼着し、
前記左側板をそれぞれ前記底板に重ねて折り畳んだ状態で全体形状を平板状となし、各側板を前記底板に対して立ち上げ、前記前内側板及び背内側板の側縁部をそれぞれ左側板の内面に係合させて箱状に組み立てられるようにした組立式箱であることを特徴とする。
【００１６】
請求項２に記載の発明は、請求項１の構成に加え、左側板及び右側板は、底板とは反対側の縁部に折り目を介して頂板を一体に備え、該頂板の両側縁を前側板又は背側板の上縁に係止させるようにしたことを特徴とする。
【００１７】
請求項３に記載の発明は、請求項１の構成に加え、左側板は、前記底板と折り目を介して連続された外側板と、その底板とは反対側の縁部に一定幅を有する上縁板を介して一体に形成された内側板とをもってそれぞれ構成され、前記上縁板の両縁部を折り目として折り曲げることにより前記内側板を外側板に重ね合わせ、右側板は、底板とは反対側の縁部に一定幅を有する上縁板を介して一体に形成された押さえ板とを備え、該押さえ板の両側縁を前側板及び背側板の内面に係合させたことを特徴とする。
【００１８】
請求項４に記載の発明は、請求項１の構成に加え、右側板の底版とは反対側の縁部に折り目を介して蓋板を一体に備えたことを特徴とする。
【００１９】
請求項５に記載の発明は、請求項４の構成に加え、蓋板は、右側板とは反対側の縁部に左側板の上縁に係止される蓋係止用突起を備えたことを特徴とする。
【００２０】
請求項６に記載の発明は、請求項１〜４又は５の構成に加え、前側板と右側板の各側辺部間を連結する前右側板間連結板と、背側板と右側板の各側辺部間を連結する背右側板間連結板とを備えたことを特徴とする。
【００２１】
請求項７に記載の発明は、請求項１〜５又は６の構成に加え、前側板及び背側板は、その右側縁にそれぞれ折り目を介して補強板を一体に備えたことを特徴とする。
【００２２】
請求項８に記載の発明は、請求項７の構成に加え、両補強板のうち、一方の補強板の側板とは反対側の縁部に補強係止片を一体に備え、他方の補強板の側板とは反対側の縁部に前記補強係止片が挿入され係止される補強係止孔を備えたことを特徴とする。
【発明の効果】
【００２３】
本発明に係る組立式箱は、底板及び各側板をそれぞれ正方形に形成することができ、玉状の青果の梱包に合わせて立方体状に形成することができるとともに、容易に組み立てることができ作業効率が向上し、組立てコストの低減を図ることができる。
【００２４】
また、ステープルや粘着テープ等を使用しないので、破棄する際に分別を行わずともよく、底抜けするおそれもないので、安全に使用することができる。
【００２５】
一方、組立式箱をこのように構成することによって、組み立てた状態で右側板を開閉することができ、右側板を開いた状態にしておけば、容易に収容物や収容物を収容した中箱等を挿入することができるので包装作業の効率が向上する。
【００２６】
頂板を備えることによって、箱全体を補強することができるとともに、頂板によって上段に重ねられた箱を支持することができる。
【００２７】
右側板の底版とは反対側の縁部に折り目を介して蓋板を一体に備えることにより、箱の上面を覆うことができるとともに、店頭等において蓋を開いて中身を展示するような場合においても、右側板が水平位置まで倒れるので、蓋板が邪魔にならず複数の箱を並べて配置することができる。
【００２８】
補強板を備えることによって、右側板を補強し、箱全体を補強することができ、更に、互いに突き合わされる補強板のうち、一方の補強板の側板とは反対側の縁部に補強係止片を一体に備え、他方の補強板の側板とは反対側の縁部に前記補強係止片が挿入され係止される補強係止孔を備えることによって、右側板を水平位置に倒した状態でも、補強板だけで箱の右側面を閉鎖することができる。
【発明を実施するための最良の形態】
【００２９】
次に、本発明に係る組立式箱の実施例を図１〜図４について説明する。尚、図に示す方向をそれぞれ前背左右として説明する。
【００３０】
組立式箱２０は、段ボール紙又はボール紙等からなる板状材を図２に示す展開図のように打ち抜き、それを折曲加工することにより形成されている。
【００３１】
この組立式箱２０は、正方形の底板２１と、底板２１の前背左右の縁部にそれぞれ折り目２２〜２５を介して一体に形成された前側板２６、背側板２７、左側板２８及び右側板２９と、前側板２６と左側板２８の各側辺部を連結する前左側板間連結板３０と、前側板２６と右側板２９の各側辺部を連結する前右側板間連結板３１と、背側板２７と左側板２８の各側辺部を連結する背左側板間連結板３２と、背側板２７と右側板２９の各側辺部を連結する背右側板間連結板３３と、左側板２８及び右側板２９の上縁部にそれぞれ折り目を介して一体に形成された左頂板３４及び右頂板３５とを備えている。
【００３２】
前側板２６は、正方形状に形成され、底板２１と折り目２２を介して連続した前外側板３６と、その折り目２２とは反対側の縁部に前上縁板３７を介して一体に形成された前内側板３８とをもって構成され、前上縁板３７の両縁部を折り目として折り曲げることにより、前内側板３８を前外側板３６に重ね合わせ、前内側板３８を前外側板３６の内側面に接着剤により固着させている。
【００３３】
背側板２７は、正方形状に形成され、底板２１と折り目２３を介して連続した背外側板３９と、その折り目２３とは反対側の縁部に背上縁板４０を介して一体に形成された背内側板４１とをもって構成され、背上縁板４０の両縁部を折り目として折り曲げて背内側板４１を背外側板３９の内側面に重ね合わせ、背内側板４１を背外側板３９の内側面に接着剤により固着させている。
【００３４】
また、前内側板３８及び背内側板４１の左側板側には、その側縁基端側より先端縁側に斜めに向けた折り目４２を形成して該折り目４２より折り畳まれる逃がし片部４３を備えている。
【００３５】
逃がし片部４３の外側板とは反対側の縁部には、底板２１前背側縁部に形成された係止孔４４に係止される下側係止突起４５が形成され、逃がし片部４３の側縁、即ち内側板３８，４１の左側縁には、左側板２８の縁部に形成された係止孔４６に係合する側縁係止突起４７が形成されている。また、逃がし片部４３の中央部分には、箱を解体する際に、逃がし片部４３が容易に引き起こせるように、指穴４８が設けられている。
【００３６】
前上縁板３７及び背上縁板４０は、一定幅を有する細長板状に形成され、前側板２６又は背側板２７の上縁部を構成している。
【００３７】
この上縁板３７，４０には、左右頂板３４，３５の側縁に形成される係止片４９が挿入される係止孔５０が形成されている。
【００３８】
また、前内側板３８及び背内側板４１の右側板側縁部には、折り目５１を介して補強板５２が一体に形成されている。
【００３９】
左側板２８は、底板２１と折り目２４を介して連続して形成され、底板２１とは反対側の縁部に折り目５３を介して左頂板３４が連続して形成されている。
【００４０】
また、左側板２８の両側縁部には、前内側板３８又は背内側板４１の側縁に設けられた側縁係止突起４７が係合されるように係合用の係止孔４６が設けられている。
【００４１】
右側板２９は、底板２１と折り目２５を介して連続して形成され、折り目２５を回転軸として開閉自在な蓋として機能するようになっている。
【００４２】
また、右側板２９には、底板２１とは反対側の縁部に折り目５４を介して右頂板３５が連続して形成されている。
【００４３】
左頂板３４及び右頂板３５には、その両側辺端部に折り目を介して係止片４９，４９が一体に形成されており、この係止片４９が前側板２６及び背側板２７の上縁、即ち前上縁板３７及び背上縁板４０上に形成された係止孔５０，５０に挿入されて係止されることによって、左右頂板３４，３５がそれぞれ組立式箱の上面端部で前側板２６と背側板２７との間に掛け渡されて固定される。
【００４４】
前左側板間連結板３０及び背左側板間連結板３２は、それぞれ底板２１の隅より斜めに向けた折り目５５を介して固定部５６と可動部５７とから構成されている。
【００４５】
前左側板間連結板３０及び背左側板間連結板３２は、固定部５６が接着剤をもって前外側板３６及び背外側板３９の内面に接着され、組み立てられた際に、各連結板３０，３２の固定部５６と可動部５７とが重なり合った部分の一部が内側板３８，４１により押さえられるようになっている。
【００４６】
前右側板間連結板３１及び背右側板間連結板３３は、底板の隅より斜めに向けた折り目５８を備え、組み立てられた際に、各連結板３１，３３が折り目５８を介して折り畳まれて右側板２９と補強板５２との間に挟み込まれるようになっている。
【００４７】
次に、上述した組立式箱２０の組立方法について図３、図４を参照して説明する。
【００４８】
まず、図３（ａ）〜（ｂ）に示すように、折り目２４に沿って左側板２８を内側、即ち底板側に折り曲げ、底板２１に重ねて折り畳む。そして、そのとき一緒に折られる各連結板３０，３２の固定部５６を前外側板３６及び背外側板３９の重なり合った部分に接着剤等によって貼着させる。
【００４９】
このように各連結板３０，３２の固定部５６を前外側板３６及び背外側板３９の重なり合った部分に貼着させたことにより、前側板２６及び背側板２７を立ち上げると貼着された連結板３０，３２に連動して左側板２８も立ち上がるようになっている。
【００５０】
そして、図３（ｂ）〜（ｃ）に示すように、前内側板３８を前上縁板３７の両縁を折り目として折り曲げ、前外側板３６に重ね合わせ、重なり合った前内側板３８を前外側板３６の内側面に貼着させ、背内側板４１を同様に背上縁板４０の両縁部を折り目として折り、背外側板３９に重ね合わせ、重なり合った背内側板４１を背外側板３９の内側面に貼着させる。
【００５１】
これで一次組立が終了し、組立中間部材６０が形成され、この状態で、運搬や保管等を行えば、平板状であるので重ねても嵩張らず効率がよい。
【００５２】
次に、この組立中間部材６０を図４（ｄ）〜（ｅ）に示すように、前側板２６及び背側板２７を立ち上げると、各連結板３０，３２が連動して、左頂板３４が一体に形成された左側板２８も立ち上がる。このとき逃がし片部４３を立ち上げることにより、連結板３０，３２が前背内側板３８，４１に邪魔されずに好適に作動する。
【００５３】
そして、図４（ｅ）〜（ｆ）に示すように、前側板２６、背側板２７及び左側板２８を底板２１に対して立ち上げ、逃がし片部４３，４３を元に戻して、前内側板３８及び背内側板４１の側縁に形成された側縁係止突起４７を左側板２８の係止孔４６，４６に係合させ、連結板３０，３２の固定部５６と可動部５７とが重なり合った部分を、前外側板３６と前内側板３８との間、或いは背外側板３９と背内側板４１との間で挟持する。
【００５４】
図４（ｆ）〜（ｇ）に示すように、左頂板３４を内側へ折り曲げ、両側縁の係止片４９を係止孔５０に挿入して係合させる。
【００５５】
最後に、図４（ｇ）〜（ｈ）に示すように、前背両補強板５２，５２を折り目５１より内側に折り曲げた後、折り目２５を回転軸として右側板２９を立ち上げると、前右側板間連結板３１及び背右側板間連結板３３が折り目５８を介して折り畳まれ、右側板２９と補強板５２との間に挟み込まれ、更に、右頂板３５を内側へ折り曲げ、両側縁の係止片４９，４９を係止孔５０に挿入して係合させることにより、箱の右側面が閉じた状態となり、組立式箱２０が形成される。
【００５６】
一方、右頂板３５の係止片４９を係止孔５０より取り外し、折り目２５を回転軸として右側板２９を寝かせ、両補強板５２，５２を折り目５１より外側に折り曲げることによって組立式箱２０の右側面が開いた状態となり、更に、左頂板３４の係止片４９を係止孔５０より外し、前側板２６及び背側板２７を寝かせ方向に倒すことによって、連動して左側板２８も底板２１に重なる方向に倒れ、中間組立部材６０の状態に戻るようになっている。
【００５７】
尚、上述の実施例では、左右側板の上縁に折り目を介して頂板を一体に形成した例について説明したが、必ずしも頂板を設けずとも良い。
【００５８】
次に、本発明に係る組立式箱の他の実施形態を図５〜図１１について説明する。
【００５９】
図５は、組立式箱の使用状態を示し、図中符号１１２は組立式箱、１１１は透視カバーである。
【００６０】
組立式箱１１２は、段ボール紙又はボール紙等からなる板状材を図７に示す展開図のように打ち抜き、それを折曲加工することにより形成されている。
【００６１】
この組立式箱１１２は、四角形の底板１２６と、底板１２６の前背左右の縁部にそれぞれ折り目１２７〜１３０を介して一体に形成された前側板１３１、背側板１３２、左側板１３３及び右側板１３４と、前側板１３１と左側板１３３の各側辺部を連結する前左側板間連結板１３５と、前側板１３１と右側板１３４の各側辺部を連結する前右側板間連結板１３６と、背側板１３２と左側板１３３の各側辺部を連結する背左側板間連結板１３７と、背側板１３２と右側板１３４の各側辺部を連結する背右側板間連結板１３８とを備えている。
【００６２】
前側板１３１は、長方形状に形成され、底板１２６と折り目１２７を介して連続した前外側板１３９と、その折り目１２７とは反対側の縁部に前上縁板１４０を介して一体に形成された前内側板１４１とをもって構成され、前上縁板１４０の両縁部を折り目として折り曲げることにより、前内側板１４１を前外側板１３９に重ね合わせ、前内側板１４１の上縁板１４０とは反対側の縁部に形成された接着片１４２を前外側板１３９の内側面に接着剤により固着させている。
【００６３】
背側板１３２は、長方形状に形成され、底板１２６と折り目１２８を介して連続した背外側板１４３と、その折り目１２８とは反対側の縁部に背上縁板１４４を介して一体に形成された背内側板１４５とをもって構成され、背上縁板１４４の両縁部を折り目として折り曲げて背内側板１４５を背外側板１４３の内側面に重ね合わせ、背内側板１４３の上縁板１４４とは反対側の縁部に形成された接着片１４６を背外側板１４３の内側面に接着剤により固着させている。
【００６４】
接着片１４２，１４６は、内側板１４１，１４５の上縁板１４０，１４４と反対側の縁に切れ目１４７，１４７を入れるとともに、縁部と平行に折り目１４８，１４９を設けることにより形成され、折り目１４８，１４９で折り曲げ、折り目１４９を境に縁側のみを接着剤により側板の内側面に固着させる。このようにすることによって上縁板１４０，１４４の幅が広くとも、無理なく内側板１４１，１４５を前外側板１３９及び背外側板１４３に接合することができる。
【００６５】
また、前内側板１４１及び背内側板１４５の左側板側には、その側縁基端側より先端縁側に斜めに向けた折り目１５０を形成して該折り目１５０より折り畳まれる逃がし片部１５１を備えている。
【００６６】
逃がし片部１５１の側縁、即ち内側板１４１，１４５の左側縁には、左側板１３３の縁部に形成された係止凹部１５２，１５２に係合する側縁係止突起１５３，１５３が形成されている。また、逃がし片部１５１の中央部分には、箱を解体する際に、逃がし片部１５１が容易に引き起こせるように、指穴１５４が設けられている。
【００６７】
前上縁板１４０及び背上縁板１４４は、一定幅を有する細長板状に形成され、前側板１３１又は背側板１３２の上縁部を構成している。
【００６８】
また、前内側板１４１及び背内側板１４５の右側板側縁部には、折り目１５５を介して補強板１５６が一体に形成されている。
【００６９】
左側板１３３は、対称な台形状に形成され、底板１２６と折り目１２９を介して連続した左外側板１５７と、その折り目１２９とは反対側の縁部に左上縁板１５８を介して一体に形成された左内側板１５９とをもって構成され、左上縁板１５８の両縁部を折り目として折り曲げることにより、左内側板１５９を左外側板１５７に重ね合わせ、左内側板１５９を左外側板１５７の内側面に接着剤により固着させている。
【００７０】
左内側板１５９の両側縁には、前内側板１４１又は背内側板１４５の側縁に設けられた側縁係止突起１５３が係合されるように係合用の係止凹部１５２が設けられている。
【００７１】
また、左内側板１５９の両側縁には、折り目１６０を介して補強片１６１，１６１が一体に形成されている。
【００７２】
右側板１３４は、対称な台形状に形成され、底板１２６と折り目１３０を介して連続して形成され、折り目１３０を軸として開閉可能な蓋として機能するようになっている。
【００７３】
また、右側板１３４には、底板１２６とは反対側の縁部に右上縁板１６２を介して押さえ板１６３が連続して形成されている。
【００７４】
押さえ板１６３の両側縁には、前内側板１４１及び背内側板１４５の右側縁に形成された係止凹部１６４と係合する係止突起１６５が一体に形成されている。
【００７５】
前左側板間連結板１３５及び背左側板間連結板１３７は、それぞれ底板の隅より斜めに向けた折り目１６６を介して固定部１６７と可動部１６８とから構成されている。
【００７６】
前左側板間連結板１３５及び背左側板間連結板１３７は、固定部１６７が接着剤をもって前外側板１３９及び背外側板１４３の内面に接着され、組み立てられた際に、各連結板１３５，１３７の固定部１６７と可動部１６８とが重なり合った部分の一部が内側板１４１，１４５により押さえられるようになっている。
【００７７】
前右側板間連結板１３６及び背右側板間連結板１３８は、底板の隅より斜めに向けた折り目１６９を備え、組み立てられた際に、各連結板１３６，１３８が折り目１６９を介して折り畳まれ、右側板１３４と補強板１５６との間に挟み込まれるようになっている。
【００７８】
この組立式箱１１２は、右側板部が開閉可能になっており、右側板１３４を立ち上げ、押さえ板１６３を内側に曲げ、その両側縁に形成された係止突起１６５，１６５を前内側板１４１及び背内側板１４５の係止凹部１６４，１６４に係止させることによって箱の右側面を閉じることができ、一方、係止突起１６５，１６５を係止凹部１６４，１６４よりはずし、押さえ板１６３及び右側板１３４を外側に曲げることにより右側面が開き、開いた右側面より容易に透視カバー１１１等の中箱を箱内に挿入することができるようになっている。
【００７９】
透視カバー１１１は、図８に示すように、透明なプラスッチック材をもって、カバー天板１１３と、カバー天板１１３の四辺に折り目を介してカバー前側板１１８、カバー背側板１１９、カバー左側板１２０及びカバー右側板１２１とを一体に形成し、下方が開口した中空箱状に形成されている。
【００８０】
カバー天板１１３は、平板状に形成され、その表面に複数の通気孔１２２，１２２…を備え、外周縁に水平方向に突出した係止突片１２３，１２３…を備えている。
【００８１】
係止突片１２３は、折り目１１４，１１５の外側にコ字状の切れ目１２４を設けること、即ちカバー前側板１１８及びカバー背側板１１９の天板側縁部にコ字状の切れ目１２４を設けることによって形成され、カバー前側板１１８及びカバー背側板１１９を折り目１１４，１１５を介して折り曲げた際にカバー天板１１３と水平方向で連続して突出するようになっている。
【００８２】
カバー前側板１１８及びカバー背側板１１９は、カバー天板１１３と折り目１１４，１１５を介して連続した長方形状に形成され、その両側縁には、折り目を介して糊代１２５，１２５が一体に形成され、この糊代１２５がカバー左側板１２０及びカバー右側板１２１の両側縁に接着されるようになっている。
【００８３】
カバー左側板１２０及びカバー右側板１２１は、開口部側、即ち折り目１１６，１１７とは反対側の辺が広く形成された対称な台形状に形成されている。
【００８４】
この透視カバー１１１は、カバー前側板１１８、カバー背側板１１９、カバー左側板１２０及びカバー右側板１２１をそれぞれ折り目１１４〜１１７より下側に折り曲げ、カバー前側板１１８及びカバー背側板１１９の側辺より折り曲げた糊代１２５をそれぞれカバー左側板１２０又はカバー右側板１２１の各側辺に接着剤等によって接着し、各側辺間を連結することによって、下方が開口した中空箱状に形成されるようになっている。
【００８５】
このような透視カバー１１１を用いれば、巨峰等の収容物Ａを組立式箱内に透視カバーを通して透視可能なように包装することができる。
【００８６】
この透視カバー１１１を用いて収容物Ａを包装するには、図９（ａ）に示すように、透視カバー１１１を開口部を上にして置き、その中に巨峰Ａを挿入する。
【００８７】
次に、図９（ｂ）に示すように、開口部に不織布や発泡ポリエチレンからなるスポンジ状の緩衝材１７１を被せ、組立式箱１１２の右側面を開いた状態で開口部を下にしておき、その右側面より巨峰Ａを収容した透視カバー１１１を逆さまのまま水平方向にスライドさせ組立式箱１１２内に挿入する。
【００８８】
このとき、透視カバー１１１のカバー左側板１２０及びカバー右側板１２１が台形状に形成されるとともに、組立式箱１１２の左側板１３３及び右側板１３４が台形状に形成され、透視カバー１１１が組立式箱１１２内に嵌り込むようになっているので、逆さまの状態でも透視カバー１１１が組立式箱１１２より外れ難くなっている。
【００８９】
そして、この状態で透視カバー１１１を手で押さえながら透視カバー１１１が挿入された組立式箱１１２をひっくり返し、図９（ｃ）に示すように、透視カバー１１１が挿入された組立式箱１１２を表向きにし、補強板１５６，１５６を内側に折り込んだ状態で右側板１３４を立ち上げ、押さえ板１６３を補強板とカバー右側板との間に差し込み、押さえ板１６３両側縁の係止突起１６５，１６５を前内側板１４１及び背内側板１４５の係止凹部１６４，１６４に嵌めこむことによって包装用箱１３の右側面を閉鎖し、巨峰Ａを透視カバー１１１を通して透視可能なように包装することができるようになっている。
【００９０】
一方、収容物Ａを取り出すには、押さえ板１６３を透視カバー１１１と右側板１３４の間より引き出し、透視カバー１１１のカバー天板１１３周縁より突出した係止突片１２３，１２３を掴んで透視カバー１１１を上方に引き上げることによって、透視カバー１１１が各側板１１８，１１９，１２０，１２１を撓ませながら引き抜かれ、収容物Ａだけが自重により組立式箱１１２内に残り、容易に収容物Ａを取り出すことができるようになっている。
【００９１】
次に、上述した組立式箱１１２の組立方法について図１０、図１１を参照して説明する。
【００９２】
まず、図１０（ａ）〜（ｂ）に示すように、左内側板１５９を左上縁板１５８の両縁を折り目として折り曲げ、左外側板１５７に重ね合わせ、重なり合った左内側板１５９を左外側板１５７の内側面に貼着させて左側板１３３を形成する。
【００９３】
次に、図１０（ｂ）〜（ｃ）に示すように、折り目１２９に沿って左側板１３３を内側、即ち底板側に折り曲げ、底板１２６に重ねて折り畳む。そして、そのとき一緒に折られる各連結板１３５，１３７の固定部１６７を前外側板１３９及び背外側板１４３の重なり合った部分に接着剤等によって貼着させる。
【００９４】
このように各連結板１３５，１３７の固定部１６７を前外側板１３９及び背外側板１４３の重なり合った部分に貼着させたことにより、前側板１３１及び背側板１３２を立ち上げると貼着された連結板１３５，１３７に連動して左側板１３３も立ち上がるようになっている。
【００９５】
そして、図１０（ｃ）〜（ｄ）に示すように、前内側板１４１を前上縁板１４０の両縁を折り目として折り曲げ、前外側板１３９に重ね合わせ、重なり合った前内側板１４１の接着片１４２を前外側板１３９の内側面に貼着させ、背内側板１４５を同様に背上縁板１４４の両縁部を折り目として折り、背外側板１４３に重ね合わせ、重なり合った背内側板１４５の接着片１４６を背外側板１４３の内側面に貼着させる。
【００９６】
これで一次組立が終了し、組立中間部材１７０が形成され、この状態で、運搬や保管等を行えば、平板状であるので重ねても嵩張らず効率がよい。
【００９７】
次に、この組立中間部材１７０を図１１（ｅ）〜（ｆ）に示すように、前側板１３１及び背側板１３２を立ち上げると、各連結板１３５，１３７が連動して左側板１３３も立ち上がる。このとき逃がし片部１５１を立ち上げることにより、連結板１３５，１３７が前背内側板１４１，１４５に邪魔されずに好適に作動する。
【００９８】
そして、図１１（ｆ）〜（ｇ）に示すように、前側板１３１、背側板１３２及び左側板１３３を底板１２６に対して立ち上げ、逃がし片部１５１，１５１を元に戻して、前内側板１４１及び背内側板１４５の側縁に形成された側縁係止突起１５３を左側板１３３の係止凹部１５２，１５２に係合させ、連結板１３５，１３７の固定部１６７と可動部１６８とが重なり合った部分を、前外側板１３９と前内側板１４１との間、或いは背外側板１４３と背内側板１４５との間で挟持する。
【００９９】
最後に、図１１（ｇ）〜（ｈ）に示すように、前背両補強板１５６，１５６を折り目１５５より内側に折り曲げた後、折り目１３０を回転軸として右側板１３４を立ち上げると、前右側板間連結板１３６及び背右側板間連結板１３８が折り目１６９を介して折り畳まれ、右側板１３４と補強板１５６との間に挟み込まれ、右上縁板１６２の両縁を折り目として押さえ板１６３を折り曲げ、補強板１５６の内面側に差し込み、両側縁の係止突起１６５を前内側板及び前背側板に形成された係止凹部１６４に係止させ、組立式箱１１２が形成される。
【０１００】
尚、組立式箱は、図１２〜図１３に示すように箱の上面を覆う蓋板２０１を備えても良い。
【０１０１】
この組立式箱２００は、組立式箱１１２の右上縁板１６２及び押さえ板１６３に代えて、図１４に示す展開図のように、右側板１３４の底版１２６とは反対側の縁部に折り目２０２を介して蓋板２０１が一体に備えられている。
【０１０２】
蓋板２０１は、平板状に形成され、右側板１３４を立ち上げた状態で、折り目２０２より内側に折り曲げることにより、箱の上面を覆うようになっている。
【０１０３】
また、蓋板２０１の折り目２０２とは反対側の縁部には、切欠２０３が形成され、その切欠２０３の内縁に折り目２０４を介して蓋係止用突片２０５が一体に形成され、この蓋係止用突片２０５を左側板１３３の上縁、即ち左上縁板１５８に形成された蓋係止用孔２０６に挿入し、係止させることによって蓋板２０１が箱の上面を覆った状態で開かないようになっている。
【０１０４】
この組立式箱２００は、蓋板２０１を開き、右側板１３４を水平になるまで倒すと、図１５に示すように、一方の組立式箱２００の右側板１３４に他方の組立式箱２００の左側端部を重ねることによって、複数の箱２００，２００…を左右方向に突き合わせた状態で並べることができるようになっている。
【０１０５】
従って、店頭等において箱内に収容した商品を展示した状態で陳列するような場合において、蓋板２０１が邪魔にならずに、少ないスペースで効率よく陳列することができるようになっている。
【０１０６】
また、右側板１３４上に配置された箱は、前右側板間連結板１３６及び背右側板間連結板１３８との間に挟まれ、前後方向の移動が規制されるようになっている。
【０１０７】
このとき、蓋板２０１は、折り目２０２より下側に向けて折り曲げ、箱の底部に重ねておくと嵩張らないでよい。
【０１０８】
また、この組立式箱２００は、互いに突き合わされる補強板１５６，１５６のうち、一方の補強板１５６の側板とは反対側の縁部に補強係止片２１０を備え、他方の補強板１５６の側板とは反対側の縁部に補強係止片２１０が挿入される補強係止孔２１１を備えるようにしてもよい。
【０１０９】
このように、補強板１５６，１５６にそれぞれ補強係止片２１０及び補強係止孔２１１を設けることによって、右側板１３４を水平位置まで倒した状態でも、補強板１５６，１５６により右側面部を閉鎖することができる。
【０１１０】
尚、補強係止孔２１１の側板側縁部の両端より垂直方向に折り目２１２を形成することが望ましい。この折り目２１２より補強板１５６の突合せ側縁部を折り曲げることによって、補強係止孔２１１の開口角度を補強係止片２１０を挿入し易い角度に調整することができる。
【０１１１】
この組立式箱２００は、上述の図１０〜図１１に示す方法と同様に組み立てた後、補強板１５６，１５６を内側に折り曲げて縁部を互いに突き合せるとともに補強係止孔２１１に補強係止片２１０を挿入して係止させ、右側面を閉鎖するようになっている。
【０１１２】
また、蓋板２０１を閉じるときは、右側板１３４を立ち上げると、前右側板間連結板１３６及び背右側板間連結板１３８が折り目１６９を介して折り畳まれ、右側板１３４と補強板１５６との間に挟み込まれ、更に、折り目２０２より蓋板２０１を折り曲げ、蓋係止用突片２０５を左側板１３３上縁の蓋係止孔２０６に係止させることにより箱の上面が蓋板２０１によって閉鎖される。
【０１１３】
尚、上述の組立式箱２００のように組立式箱２０，１１２にも補強板５２（１５６）にそれぞれ補強係止片２１０及び補強係止孔２１１を設ける構成にしてもよい。
【産業上の利用可能性】
【０１１４】
本発明は、玉状の収容物を梱包するのに適した立方体状の箱の他、直方体状の箱にも適用することができる。
【図面の簡単な説明】
【０１１５】
【図１】本発明に係る組立式箱を示す斜視図である。
【図２】同上の組立式箱の展開図である。
【図３】同上の組立式箱の組立中間工程の状態を示す斜視図である。
【図４】同上の組立式箱の製箱工程の状態を示す斜視図である。
【図５】本発明に係る組立式箱の使用状態の一例を示す斜視図である。
【図６】図５中の組立式箱を示す斜視図である。
【図７】同上の組立式箱の展開図である。
【図８】図５中の透視カバーを示す斜視図である。
【図９】本発明に係る組立式箱を使用した梱包作業の状態を示す斜視図である。
【図１０】同上の組立式箱の組立て中間工程の状態を示す斜視図である。
【図１１】同上の組立式箱の製箱工程の状態を示す斜視図である。
【図１２】本発明に係る組立式箱の他の一例を示す斜視図である。
【図１３】同上の蓋板を開いた状態を示す斜視図である。
【図１４】同上の組立式箱の展開図である。
【図１５】同上の組立式箱を並べて配置した状態を示す斜視図である。
【図１６】従来の組立式箱の一例を示す斜視図である。
【図１７】同上の展開図である。
【図１８】従来の組立式箱の他の一例を示す斜視図である。
【符号の説明】
【０１１６】
２０  組立式箱
２１  底板
２２〜２５  折り目
２６  前側板
２７  背側板
２８  左側板
２９  右側板
３０  前左側板間連結板
３１  前右側板間連結板
３２  背左側板間連結板
３３  背右側板間連結板
３４  左頂板
３５  右頂板
３６  前外側板
３７  前上縁板
３８  前内側板
３９  背外側板
４０  背上縁板
４１  背内側板
４２  折り目
４３  逃がし片部
４４  係止孔
４５  下側係止突起
４６  係止孔
４７  側縁係止突起
４８  指穴
４９  係止片
５０  係止孔
５１  折り目
５２  補強板
５３  折り目
５４  折り目
５５  折り目
５６  固定部
５７  可動部
５８  折り目
６０  組立中間部材
１１２  組立式箱
１２６  底板
１２７〜１３０  折り目
１３１  前側板
１３２  背側板
１３３  左側板
１３４  右側板
１３５  前左側板間連結板
１３６  前右側板間連結板
１３７  背左側板間連結板
１３８  背右側板間連結板
１３９  前外側板
１４０  前上縁板
１４１  前内側板
１４２  接着片
１４３  背外側板
１４４  背上縁板
１４５  背内側板
１４６  接着片
１４７  切れ目
１４８、１４９  折り目
１５０  折り目
１５１  逃がし片部
１５２  係止凹部
１５３  側縁係止突起
１５４  指穴
１５５  折り目
１５６  補強板
１５７  左外側板
１５８  左上縁板
１５９  左内側板
１６０  折り目
１６１  補強片
１６２  右上縁板
１６３  押さえ板
１６４  係止凹部
１６５  係止突起
１６６  折り目
１６７  固定部
１６８  可動部
１６９  折り目
１７０  組立中間部材
２００  組立式箱
２０１  蓋板
２０２  折り目
２０３  切欠
２０４  折り目
２０５  蓋係止用突片
２０６  蓋係止孔
２１０  補強係止片
２１１  補強係止孔
【図１】
2005145524.tif 000003
【図２】
2005145524.tif 000004
【図３】
2005145524.tif 000005
【図４】
2005145524.tif 000006
【図５】
2005145524.tif 000007
【図６】
2005145524.tif 000008
【図７】
2005145524.tif 000009
【図８】
2005145524.tif 000010
【図９】
2005145524.tif 000011
【図１０】
2005145524.tif 000012
【図１１】
2005145524.tif 000013
【図１２】
2005145524.tif 000014
【図１３】
2005145524.tif 000015
【図１４】
2005145524.tif 000016
【図１５】
2005145524.tif 000017
【図１６】
2005145524.tif 000018
【図１７】
2005145524.tif 000019
【図１８】
2005145524.tif 000020